(57)【要約】【解決手段】本発明は、底部材１と、一方の相対する壁部材２と、もう一方の相対する壁部材３と、前記一方の壁部材と前記もう一方の壁部材とを連結するコーナー部材Ｔ１とからなる組立・分解可能容器において、前記一方の壁部材及び前記もう一方の相対する壁部材を構成する端部垂直側板部２ｄ、３ｄに形成された嵌合ブロック部材Ｅ１の垂直部ｅ２が、前記コーナー部材の縦長連結部Ｔ１”に形成された嵌合空間Ａ２に挿入されるように構成したものである。【効果】一方の壁部材及びもう一方の相対する壁部材を構成する端部垂直側板部に形成された嵌合ブロック部材の垂直部が、コーナー部材の縦長連結部に形成された嵌合空間に挿入されるように構成したので、一方の壁部材ともう一方の壁部材とに、コーナー部材から分離する方向の負荷が加わっても、一方の壁部材と前記もう一方の壁部材とが、コーナー部材から分離するようなことを防止することができる。【選択図】図１９
2013023236.tif 000002
【特許請求の範囲】
【請求項１】
本発明は、底部材と、一方の相対する壁部材と、もう一方の相対する壁部材と、前記一方の壁部材と前記もう一方の壁部材とを連結するコーナー部材とからなる組立・分解可能容器において、前記一方の壁部材及び前記もう一方の相対する壁部材を構成する端部垂直側板部に形成された嵌合ブロック部材の垂直部が、前記コーナー部材の縦長連結部に形成された嵌合空間に挿入されるように構成したことを特徴とする組立・分解可能容器。
【発明の詳細な説明】
【技術分野】
【０００１】
本発明は、組み立て、及び、組み立てられた容器を分解することが可能な組立・分解可能容器に関するものである。
【背景技術】
【０００２】
パレットの４つの角部に、それぞれ支柱を立設するとともに、支柱間に、壁部材を取り付けることにより形成された組立・分解可能な容器が、特許文献１に開示されている。
【先行技術文献】
【特許文献】
【０００３】
【特許文献１】特開平６ー９９９８３号公報
【発明の概要】
【発明が解決しようとする課題】
【０００４】
上述した特許文献１に開示されている組立・分解可能な容器においては、支柱に形成された板状体に穿設された空間部に、壁部材に形成された突起部の爪を係合するだけであるので、壁部材に負荷が加わると、支柱と壁部材との係合が外れ易いという問題があった。
【０００５】
また、空間部が穿設された板状体及び爪が形成された突起部とが板状に形成されているので、壁部材に負荷が加わった際に、板状体や突起部が損傷するという問題があった。
【０００６】
本発明は、上述した組立・分解可能容器が有する課題を解決することにある。
【課題を解決するための手段】
【０００７】
本発明は、上述した目的を達成するために、底部材と、一方の相対する壁部材と、もう一方の相対する壁部材と、前記一方の壁部材と前記もう一方の壁部材とを連結するコーナー部材とからなる組立・分解可能容器において、前記一方の壁部材及び前記もう一方の相対する壁部材を構成する端部垂直側板部に形成された嵌合ブロック部材の垂直部が、前記コーナー部材の縦長連結部に形成された嵌合空間に挿入されるように構成したものである。
【発明の効果】
【０００８】
底部材と、一方の相対する壁部材と、もう一方の相対する壁部材と、前記一方の壁部材と前記もう一方の壁部材とを連結するコーナー部材とからなる組立・分解可能容器において、前記一方の壁部材及び前記もう一方の相対する壁部材を構成する端部垂直側板部に形成された嵌合ブロック部材の垂直部が、前記コーナー部材の縦長連結部に形成された嵌合空間に挿入されるように構成したので、前記一方の壁部材と前記もう一方の壁部材とに、前記コーナー部材から分離する方向の負荷が加わっても、前記一方の壁部材と前記もう一方の壁部材とが、前記コーナー部材から分離するようなことを防止することができる。
【図面の簡単な説明】
【０００９】
【図１】図１は、本発明の組立・分解可能容器の組立状態の斜視図である。
【図２】図２は、本発明の組立・分解可能容器を構成する底部材の斜視図である。
【図３】図３は、図２に示されている底部材の部分拡大斜視図である。
【図４】図４は、図２に示されている底部材の垂直断面を含む部分拡大斜視図である。
【図５】図５は、本発明の組立・分解可能容器を構成する長壁部材の斜視図である。
【図６】図６は、同じく、本発明の組立・分解可能容器を構成する長壁部材の斜視図である。
【図７】図７は、本発明の組立・分解可能容器を構成する長壁部材の部分拡大斜視図である。
【図８】図８は、本発明の組立・分解可能容器を構成する長壁部材の部分拡大斜視図である。
【図９】図９は、本発明の組立・分解可能容器を構成する短壁部材の斜視図である。
【図１０】図１０は、同じく、本発明の組立・分解可能容器を構成する短壁部材の斜視図である。
【図１１】図１１は、本発明の組立・分解可能容器を構成するコーナー部材の斜視図である。
【図１２】図１２は、同じく、本発明の組立・分解可能容器を構成するコーナー部材の斜視図である。
【図１３】図１３は、本発明の組立・分解可能容器を構成するコーナー部材の部分拡大斜視図である。
【図１４】図１４は、本発明の組立・分解可能容器を構成するコーナー部材の垂直断面を含む部分拡大斜視図である。
【図１５】図１５は、本発明の組立・分解可能容器の組み立て順序を説明するための長壁部材、短壁部材及びコーナー部材の斜視図である。
【図１６】図１６は、本発明の組立・分解可能容器の組み立て順序を説明するための長壁部材とコーナー部材の部分拡大斜視図である。
【図１７】図１７は、本発明の組立・分解可能容器の組み立て順序を説明するための長壁部材とコーナー部材の部分拡大斜視図である。
【図１８】図１８は、同じく、本発明の組立・分解可能容器の組み立て順序を説明するための長壁部材とコーナー部材の部分拡大斜視図である。
【図１９】図１９は、同じく、本発明の組立・分解可能容器の組み立て順序を説明するための長壁部材とコーナー部材の部分拡大斜視図である。
【図２０】図２０は、本発明の組立・分解可能容器を構成する長壁部材とコーナー部材とが連結された状態の垂直断面を含む部分拡大斜視図である。
【図２１】図２１は、本発明の組立・分解可能容器を構成する容器本体と底部材の斜視図である。
【図２２】図２２は、本発明の組立・分解可能容器を構成する容器本体と底部材との嵌合状態の垂直断面を含む部分拡大斜視図である。
【図２３】図２３は、同じく、本発明の組立・分解可能容器を構成する容器本体と底部材との嵌合状態の部分拡大垂直断面図である。
【実施例】
【００１０】
以下に、本発明の実施例について説明するが、本発明の趣旨を越えない限り、何ら、本発明の実施例に限定されるものではない。
【００１１】
図１において、Ｃ１は、組立・分解可能容器（以下、単に、容器ともいう。）であり、容器Ｃ１は、箱型の底部材（以下、単に、底部材ともいう。）１と、相対する長壁部材２と、相対する短壁部材３と、４個のコーナー部材Ｔ１とから構成されている。
【００１２】
次に、図２〜図４を用いて、底部材１について説明する。
【００１３】
底部材１は、平面形状が、略長方形状の底板部１ａと、底板部１ａの周辺に、底板部１ａに一体に立設された周壁部１ｂとを有しており、周壁部１ｂは、底板部１ａの相対する長辺部に立設された長辺周壁１ｂ１と、底板部１ａの相対する短辺部に立設された短辺周壁１ｂ２とにより構成されている。なお、底板部１ａには、底板部１ａを構成する平板１ａ１を下方に凹ませることにより、平面形状が略方形状の凹部１ａ２が形成されている。
【００１４】
周壁部１ｂの上端には、上端から外側方向に延在する周状上端水平フランジ１ｃが形成されており、また、周壁部１ｂの下端付近には、外側方向に延在する周状下端部水平フランジ１ｄが形成されている。また、周状上端水平フランジ１ｃの４つの角部１ｃ１と周状下端部水平フランジ１ｄの４つの角部１ｄ１とは、帯板状角部垂直リブ１ｅにより連結されている。更に、周状上端水平フランジ１ｃの直線部１ｃ２と周状下端部水平フランジ１ｄの直線部１ｄ２とは、適当数の板状の垂直リブ１ｆにより連結されている。
【００１５】
周状上端水平フランジ１ｃの直線部１ｃ２には、所定の間隔を置いて、嵌合部材Ｇ１が形成されている。嵌合部材Ｇ１は、周状上端水平フランジ１ｃの直線部１ｃ２に穿設された嵌合孔ｇ１と、周状上端水平フランジ１ｃの直線部１ｃ２の裏面に垂設された、周状上端水平フランジ１ｃの直線部１ｃ２の長手方向と直交する相対する側板部ｇ２と、相対する側板部ｇ２の下端を連結する下端水平板部ｇ３とを有している。なお、本実施例においては、図３において、左側に位置する側板部ｇ２と垂直リブ１ｆとが、一体に形成されている例が示されている。
【００１６】
嵌合部材Ｇ１には、周状上端水平フランジ１ｃの直線部１ｃ２と、相対する側板部ｇ２と、下端水平板部ｇ３とにより形成される側部開口の上部を閉鎖する仕切板部ｇ４が形成されている。仕切板部ｇ４には、相対する側板部ｇ２の先端ｇ２ａより引っ込んだ奥壁ｇ４ａと、嵌合孔ｇ１を形成する周状上端水平フランジ１ｃの上端部１ｃ３とにより形成される嵌合孔ｇ１側の上部角部とには、嵌合孔ｇ１側に位置する上部案内傾斜面ｇ５が形成されている。また、奥壁ｇ４ａの下端には、相対する側板部ｇ２を連結する下端水平連結部ｇ６が形成されており、下端水平連結部ｇ６の裏面には、奥壁ｇ４ａから側板部ｇ２の先端ｇ２ａに向かって、上方に延在する抜け抑制傾斜面ｇ６ａが形成されている。なお、ｇ７は、下端水平連結部ｇ６と下端水平板部ｇ３の両端部を連結する端部垂直連結リブである。このように構成することにより、嵌合部材Ｇ１には、下端水平板部ｇ３と仕切板部ｇ４と相対する端部垂直連結リブｇ７により囲まれた係止透孔Ｇ１ａが形成されている。
【００１７】
また、周状上端水平フランジ１ｃの４つの角部１ｃ１付近には、角部１ｃ１を挟んで、一対のコーナー部材用係止透孔１ｃ４が穿設されている。
【００１８】
次に、図５〜図８を用いて、長壁部材２について説明する。
【００１９】
長壁部材２は、上端水平フランジ部２ａと、上端水平フランジ部２ａの直ぐ下に位置する上部水平フランジ部２ｂと、下端水平フランジ部２ｃと、相対する端部垂直側板部２ｄとを有しており、上部水平フランジ部２ｂと下端水平フランジ部２ｃと相対する端部垂直側板部２ｄとにより囲まれた領域には、内面（容器Ｃ１が箱型に組み立てられた際に、容器Ｃ１の内側に位置する面）２ｅ１が、平坦な長方形状の主板状部２ｅ’が形成されており、また、上端水平フランジ部２ａと上部水平フランジ部２ｂと相対する端部垂直側板部２ｄの上端部とにより囲まれた領域には、外面（容器Ｃ１が箱型に組み立てられた際に、容器Ｃ１の外側に位置する面）２ｅ２が、平坦な上部帯状板状部２ｅ”が形成されている。
【００２０】
また、上端水平フランジ部２ａと上部水平フランジ部２ｂと上部帯状板状部２ｅ”とにより形成される凹部２’内には、所定の間隙を置いて、適当数の垂直連結リブ２ｆが形成されている。更に、主板状部２ｅ’の外面２ｅ２には、相対する端部垂直側板部２ｄを連結する適当数の水平リブ２ｇ、及び、上部水平フランジ部２ｂと下端水平フランジ部２ｃとを連結する適当数の垂直リブ２ｈが形成されている。
【００２１】
更に、Ｅ１は、相対する端部垂直側板部２ｄに形成された嵌合ブロック部材であり、嵌合ブロック部材Ｅ１は、端部垂直側板部２ｄに対して垂直な水平部ｅ１と、水平部ｅ１の先端部から垂直に上方に延在する垂直部ｅ２とから構成されている。本実施例においては、５個の嵌合ブロック部材Ｅ１が形成されている例が示されている。
【００２２】
長壁部材２の下端水平フランジ２ｃの裏面には、上述した底部材１を形成する周状上端水平フランジ１ｃの直線部１ｃ２に形成された嵌合部材Ｇ１に対応して、嵌合ブロック部材Ｂ１が垂設されている。
【００２３】
嵌合ブロック部材Ｂ１は、下端水平フランジ２ｃの長手方向に沿って、下端水平フランジ２ｃの裏面に形成されている。嵌合ブロック部材Ｂ１を構成する弾性舌片部ｂ１は、下端水平フランジ２ｃの長手方向に沿って、下端水平フランジ２ｃの裏面に垂設されており、弾性舌片部ｂ１の下端部には、水平状の係止突部ｂ１’が形成されている。係止突部ｂ１’は、係止水平部ｂ１ａと、係止水平部ｂ１ａの両端部に形成された係止ブロック部ｂ１ｂとから形成されており、係止ブロック部ｂ１ｂの下面には、係止ブロック部ｂ１ｂの先端から、下方に傾斜した下部傾斜面ｂ１ｂ’が形成されている。また、係止ブロック部ｂ１ｂ間に位置する係止水平部ｂ１ａの上面には、係止水平部ｂ１ａの先端から、下方に傾斜した上部傾斜面ｂ１ａ’が形成されており、上部傾斜面ｂ１ａ’の先端部は、係止ブロック部ｂ１ｂの水平な上面ｂ１ｂ”より、上方に突出するように構成されている。
【００２４】
上述した弾性舌片部ｂ１は、下端水平フランジ２ｃの長手方向と直交するとともに、下端水平フランジ２ｃの裏面に垂設された相対する垂直側部ｂ２ａと該相対する垂直側部ｂ２ａの下端を連結する下端水平部ｂ２ｂとからなる弾性舌片部保護部材ｂ２により、弾性舌片部ｂ１の側部と下端が保護されるように構成されている。また、上述した弾性舌片部ｂ１の係止突部ｂ１’の先端部は、弾性舌片部保護部材ｂ２を越えて、外側に突出するように構成されている。嵌合ブロック部材Ｂ１が、底部材１に形成された嵌合部材Ｇ１に形成された嵌合孔ｇ１に嵌合された際には、嵌合ブロック部材Ｂ１を構成する弾性舌片部ｂ１の係止突部ｂ１’が、嵌合部材Ｇ１に形成された係止透孔Ｇ１ａに嵌入され係止されるように構成されている。
【００２５】
次に、図９及び図１０を用いて、短壁部材３について説明する。
【００２６】
短壁部材３は、上端水平フランジ部３ａと、上端水平フランジ部３ａの直ぐ下に位置する上部水平フランジ部３ｂと、下端水平フランジ部３ｃと、相対する端部垂直側板部３ｄとを有しており、また、上部水平フランジ部３ｂと下端水平フランジ部３ｃと相対する端部垂直側板部３ｄとにより囲まれた領域には、内面（容器Ｃ１が箱型に組み立てられた際に、容器Ｃ１の内側に位置する面）３ｅ１が平坦な長方形状の主板状部３ｅ’が形成されており、更に、上端水平フランジ部３ａと上部水平フランジ部３ｂと相対する端部垂直側板部３ｄの上端部とにより囲まれた領域には、外面（容器Ｃ１が箱型に組み立てられた際に、容器Ｃ１の外側に位置する面）３ｅ２が平坦な上部帯状板状部３ｅ”が形成されている。
【００２７】
また、上端水平フランジ部３ａと上部水平フランジ部３ｂと上部帯状板状部３ｅ”とにより形成される凹部内には、所定の間隙を置いて、適当数の垂直連結リブ３ｆが形成されている。更に、主板状部３ｅ’の外面３ｅ２には、相対する端部垂直側板部３ｄを連結する適当数の水平リブ３ｇ、及び、上部水平フランジ部３ｂと下端水平フランジ部３ｃとを連結する適当数の垂直リブ３ｈが形成されている。
【００２８】
また、相対する端部垂直側板部３ｄにも、上述した長側壁部２の相対する端部垂直側板部２ｄに形成された嵌合ブロック部材Ｅ１と同様の嵌合ブロック部材Ｅ１が形成されている。本実施例においては、長側壁部２に形成された嵌合ブロック部材Ｅ１と同様に、５個の嵌合ブロック部材Ｅ１が形成されている例が示されている。
【００２９】
更に、短壁部材３の下端水平フランジ３ｃの裏面には、上述した底部材１を形成する周状上端水平フランジ１ｃの直線部１ｃ２に形成された嵌合部材Ｇ１に対応して、長側壁部２の下端水平フランジ２ｃの裏面に形成された嵌合ブロック部材Ｂ１と同様の嵌合ブロック部材Ｂ１が垂設されている。
【００３０】
上述したように、長側壁部２と短壁部材３とは、幅が異なるだけで、実質的に同じ形状に構成されている。
【００３１】
次に、図１１〜図１４を用いて、長側壁部２と短壁部材３とを連結するコーナー部材Ｔ１について説明する。
【００３２】
コーナー部材Ｔ１は、平面形状が略Ｌ状に形成されており、コーナー部材Ｔ１のコーナー部Ｔ１’を挟んで、コーナー部材Ｔ１には、同一構造を有する縦長連結部Ｔ１”が形成されている。
【００３３】
縦長連結部Ｔ１”は、コーナー部材Ｔ１を形成する上端水平板部ｔ１と、下端水平板部ｔ２と、相対する垂直側板部ｔ３と、奥壁ｔ４とにより形成された縦長空間部Ａ１が形成されている。縦長空間部Ａ１には、相対する垂直側板部ｔ３の先端ｔ３’から奥壁ｔ４まで延在するとともに、相対する垂直側板部ｔ３及び奥壁ｔ４に連接された適当数の水平区画板部ｔ５が形成されており、このような水平区画板部ｔ５を形成することにより、縦長空間部Ａ１は、複数の副空間部Ａ１’に区画されている。本実施例には、６枚の水平区画板部ｔ５が形成されている例が示されており、６枚の水平区画板部ｔ５により、縦長空間部Ａ１は、５個の副空間部Ａ１’に区画されている。
【００３４】
各副空間部Ａ１’を形成する水平区画板部ｔ５の中央部下面には、相対する垂直側板部ｔ３に連接された垂直片ｔ６が垂設されており、垂直片ｔ６の下端には、相対する垂直側板部ｔ３に連接されているとともに、相対する垂直側板部ｔ３の先端ｔ３’まで延在する水平片ｔ７が形成されている。このように、垂直片ｔ６と水平片ｔ７を形成することにより、水平区画板部ｔ５の下部には、相対する垂直側板部ｔ３と奥壁ｔ４と水平区画板部ｔ５と垂直片ｔ６とにより、下方が開放された嵌合空間Ａ２が形成されている。
【００３５】
また、コーナー部Ｔ１’を挟んで、下端水平板部ｔ２の裏面には、上述した底部材１の周状上端水平フランジ１ｃの４つの角部１ｃ１付近に穿設されたコーナー部材用係止透孔１ｃ４に嵌合される嵌合突部ｔ８が垂設されている。嵌合突部ｔ８は、スリットｔ８ａを挟んで位置する一対の弾性片ｔ８ｂとから構成されている。
【００３６】
更に、コーナー部材Ｔ１の相対する垂直側板部ｔ３のうち、外側（容器Ｃ１が箱型に組み立てられた際に、容器Ｃ１の外側に位置する面）に位置する垂直側板部ｔ３には、上部が、嵌合空間Ａ２と略重なるように形成された視認透孔ｔ９が穿設されている。
【００３７】
次に、図１５〜図２３を用いて、底部材１、長側壁部２、短壁部材３及びコーナー部材Ｔ１の組み立て及び分解について説明する。
【００３８】
以下に、長壁部材２と短壁部材３とのコーナー部材Ｔ１を介しての連結について説明するが、長壁部材２とコーナー部材Ｔ１との連結手段及び短壁部材３とコーナー部材Ｔ１との連結手段とは同じであるので、以下においては、便宜的に、長壁部材２とコーナー部材Ｔ１との連結手段について説明する。
【００３９】
先ず最初に、図１５及び図１６に示されているように、長壁部材２に形成された嵌合ブロック部材Ｅ１とコーナー部材Ｔ１の縦長連結部Ｔ１”に形成された副空間部Ａ１’とが対向するように、また、短壁部材３に形成された嵌合ブロック部材Ｅ１とコーナー部材Ｔ１の縦長連結部Ｔ１”に形成された副空間部Ａ１’とが対向するように、コーナー部材Ｔ１を挟んで、長壁部材２と短壁部材３とを配置する。
【００４０】
次いで、図１７及び図１８に示されているように、長壁部材２に形成された嵌合ブロック部材Ｅ１を、コーナー部材Ｔ１の縦長連結部Ｔ１”に形成された副空間部Ａ１’に挿入する。長壁部材２に形成された嵌合ブロック部材Ｅ１が、コーナー部材Ｔ１に形成された副空間部Ａ１’に挿入された際には、長壁部材２に形成された嵌合ブロック部材Ｅ１の垂直部ｅ２が、長壁部材２のコーナー部材Ｔ１に形成された副空間部Ａ１’内に位置する嵌合空間Ａ２の下方に位置するように構成されている。このように、長壁部材２に形成された嵌合ブロック部材Ｅ１の垂直部ｅ２が、嵌合空間Ａ２の下方に位置しているか否かは、図１８に示されているように、コーナー部材Ｔ１に形成された視認透孔ｔ９を通して確認することができるように構成されている。
【００４１】
次いで、コーナー部材Ｔ１に対して、長壁部材２を上昇させることにより、或いは、長壁部材２に対して、コーナー部材Ｔ１を下降させることにより、図１９及び図２０に示されているように、長壁部材２に形成された嵌合ブロック部材Ｅ１の垂直部ｅ２が、コーナー部材Ｔ１の縦長連結部Ｔ１”に形成された嵌合空間Ａ２に嵌合するように構成されており、このようにして、コーナー部材Ｔ１と長壁部材２とが連結されることになる。同様にして、コーナー部材Ｔ１と短壁部材３とが連結されることになる。このようにして、図２１に示されているように、長壁部材２と短壁部材３とコーナー部材Ｔ１とからなる、相対する一対の長壁部材２と相対する一対の短壁部材３とが、コーナー部材Ｔ１を介して連結された容器本体Ｃ１’が組み立てられることになる。
【００４２】
上述したように、長壁部材２と短壁部材３とが、コーナー部材Ｔ１を介して、連結された際には、長壁部材２及び短壁部材３に形成されている嵌合ブロック部材Ｅ１の垂直部ｅ２が、コーナー部材Ｔ１の縦長連結部Ｔ１”に形成された副空間部Ａ１’内に位置する嵌合空間Ａ２に嵌合されるように構成されているので、コーナー部材Ｔ１から長壁部材２と短壁部材３とを分離する水平方向の負荷が加わった場合には、長壁部材２と短壁部材３に形成された嵌合ブロック部材Ｅ１の垂直部ｅ２が、嵌合空間Ａ２を構成する垂直片ｔ６に当接し、長壁部材２と短壁部材３とが、コーナー部材Ｔ１から分離することを防止することができる。
【００４３】
相対する一対の長壁部材２と相対する一対の短壁部材３とが、コーナー部材Ｔ１を介して、組み立てられた容器本体Ｃ１’を、図２１に示されているように、底部材１の上方に配置し、その後、容器本体Ｃ１’を、底部材１方向に接近させて、長壁部材２に形成された嵌合ブロックＢ１及び短壁部材３に形成された嵌合ブロックＢ１を、底部材１に形成された嵌合部材Ｇ１の嵌合孔ｇ１に挿入するとともに、コーナー部材Ｔ１に形成された嵌合突部ｔ８を、底部材１の周状上端水平フランジ１ｃの角部１ｃ１付近に穿設されたコーナー部材用係止透孔１ｃ４に嵌合する。
【００４４】
長壁部材２に形成されている嵌合ブロックＢ１を、底部材１に形成された嵌合部材Ｇ１の嵌合孔ｇ１に挿入する過程において、先ず最初に、嵌合ブロックＢ１の弾性舌片部保護部材ｂ２の下端水平部ｂ２ｂが、嵌合部材Ｇ１の上部案内傾斜面ｇ５等に案内されながら、嵌合部材Ｇ１の嵌合孔ｇ１に挿入されることになる。更に、長壁部材２を、底部材１方向に接近させると、嵌合ブロックＢ１の弾性舌片部ｂ１を構成する係止突部ｂ１’の係止ブロック部ｂ１ｂの下部傾斜面ｂ１ｂ’が、嵌合部材Ｇ１の仕切板部ｇ４に当接することにより、嵌合ブロックＢ１の弾性舌片部ｂ１が、仕切板部ｇ４から離れる方向に弾性変形し、その後、更に、長壁部材２を、底部材１方向に接近させると、嵌合ブロックＢ１の弾性舌片部ｂ１の弾性復元力により、嵌合ブロックＢ１の弾性舌片部ｂ１を構成する係止突部ｂ１’が、嵌合部材Ｇ１に形成された係止透孔Ｇ１ａに挿入され、底部材１と長壁部材２とが連結されることになる。このようにして、底部材１、長壁部材２、短壁部材３及びコーナー部材Ｔ１とからなる組立・分解可能容器Ｃ１が組み立てられることになる。
【００４５】
また、上述したように、嵌合ブロックＢ１の弾性舌片部ｂ１を構成する係止突部ｂ１’が、嵌合部材Ｇ１に形成された係止透孔Ｇ１ａに挿入された際には、図２２に示されているように、嵌合部材Ｇ１を構成する仕切板部ｇ４の下端水平連結部ｇ６の裏面に形成された抜け抑制傾斜面ｇ６ａが、嵌合ブロックＢ１の係止水平部ｂ１ａの上面に形成された上部傾斜面ｂ１ａ’と対向するように構成されている。このように構成することにより、長壁部材２に、上方への負荷が加わった際に、長壁部材２が、底部材１から離脱するようなことを防止することができる。なお、短壁部材３に形成された嵌合ブロックＢ１と底部材１に形成された嵌合部材Ｇ１との嵌合手段も、上述した長壁部材２に形成された嵌合ブロックＢ１と底部材１に形成された嵌合部材Ｇ１との嵌合手段と同じであるので、その説明は省略する。
【００４６】
箱型に組み立てられた容器Ｃ１を分解する場合には、先ず最初に、長壁部材２及び短壁部材３に形成された嵌合ブロック部材Ｂ１を構成する係止突部ｂ１’に、棒体Ｓを当接し押すことにより、図２３に示されているように、嵌合ブロック部材Ｂ１を構成する弾性舌片部ｂ１の自由端部を、底部材１に形成された嵌合部材Ｇ１の仕切板部ｇ４から離反する方向に弾性変形させて、嵌合ブロック部材Ｂ１を構成する係止突部ｂ１’を、底部材１の嵌合部材Ｇ１に形成された係止透孔Ｇ１ａから排出させ、その後、容器本体Ｃ１’を、上昇させて、容器本体Ｃ１’と底部材１との連結状態を解除する。
【００４７】
底部材１から分離された容器本体Ｃ１’を構成する長壁部材２、短壁部材３及びコーナー部材Ｔ１との分解作業は、上述した長壁部材２とコーナー部材Ｔ１との組み立て作業、及び、短壁部材３とコーナー部材Ｔ１との組み立て作業と逆の作業により行うことができる。即ち、コーナー部材Ｔ１に対して、長壁部材２及び短壁部材３を下降させて、或いは、長壁部材２及び短壁部材３に対して、コーナー部材Ｔ１を上昇させて、長壁部材２及び短壁部材３に形成されている嵌合ブロック部材Ｅ１の垂直部ｅ２を、コーナー部材Ｔ１の縦長連結部Ｔ１”に形成されている嵌合空間Ａ２から排出させ、その後、長壁部材２及び短壁部材３を、コーナー部材Ｔ１から離反する方向に、略水平方向に移動させることにより、容器本体Ｃ１’を構成する長壁部材２と短壁部材３とコーナー部材Ｔ１とを分解することができる。
【符号の説明】
【００４８】
Ａ２・・・・・・・・・・・嵌合空間
Ｂ１・・・・・・・・・・・嵌合ブロック部材
ｂ１・・・・・・・・・・・弾性舌片部
ｂ２・・・・・・・・・・・弾性舌片部保護部材
Ｃ１・・・・・・・・・・・組立・分解可能容器
Ｃ１’・・・・・・・・・・容器本体
Ｅ１・・・・・・・・・・・嵌合ブロック部材
ｅ２・・・・・・・・・・・垂直部
Ｇ１・・・・・・・・・・・嵌合部材
ｇ１・・・・・・・・・・・嵌合孔
Ｔ１・・・・・・・・・・・コーナー部材
Ｔ１”・・・・・・・・・・縦長連結部
１・・・・・・・・・・・底部材
２・・・・・・・・・・・長壁部材
３・・・・・・・・・・・短壁部材
【図１】
2013023236.tif 000003
【図２】
2013023236.tif 000004
【図３】
2013023236.tif 000005
【図４】
2013023236.tif 000006
【図５】
2013023236.tif 000007
【図６】
2013023236.tif 000008
【図７】
2013023236.tif 000009
【図８】
2013023236.tif 000010
【図９】
2013023236.tif 000011
【図１０】
2013023236.tif 000012
【図１１】
2013023236.tif 000013
【図１２】
2013023236.tif 000014
【図１３】
2013023236.tif 000015
【図１４】
2013023236.tif 000016
【図１５】
2013023236.tif 000017
【図１６】
2013023236.tif 000018
【図１７】
2013023236.tif 000019
【図１８】
2013023236.tif 000020
【図１９】
2013023236.tif 000021
【図２０】
2013023236.tif 000022
【図２１】
2013023236.tif 000023
【図２２】
2013023236.tif 000024
【図２３】
2013023236.tif 000025